(57)【要約】【課題】  マスターとなるカメラが明確にならないために、メモリ、信号処理部等、各カメラのリソースをシェアリングしてパフォーマンスを向上させようとする際に、制御の基点を確定できない。【解決手段】  複数台のカメラを連結動作させる際のマスター機を確定するために、次のいずれかの動作を行う。１）トリガー半押し状態で最初に電源を投入したものをマスターとする。２）トリガー半押し状態で最初にケーブルを接続したものをマスターとする。３）電源投入状態で最初にケーブルを接続したものをマスターとする。４）全カメラ接続された状態で最初に電源を投入したものをマスターとする。【選択図】  図２
2005159953.tif 000002
【特許請求の範囲】
【請求項１】
複数台のカメラと、それらを接続する接続手段と、接続された複数台のカメラの制御を行なう制御手段からなる撮像システムにおいて、
トリガキーを半押しした状態で電源投入したカメラを撮影モードの設定を行なうマスターと決定することを特徴とする撮像システム。
【請求項２】
複数台のカメラと、それらを接続する接続手段と、接続された複数台のカメラの制御を行なう制御手段からなる撮像システムにおいて、
トリガキーを半押しした状態で接続手段を接続したカメラを撮影モードの設定を行なうマスターと決定することを特徴とする撮像システム。
【請求項３】
複数台のカメラと、それらを接続する接続手段と、接続された複数台のカメラの制御を行なう制御手段からなる撮像システムにおいて、
電源が入っている状態で最初に接続手段を接続したカメラを撮影モードの設定を行なうマスターと決定することを特徴とする撮像システム。
【請求項４】
複数台のカメラと、それらを接続する接続手段と、接続された複数台のカメラの制御を行なう制御手段からなる撮像システムにおいて、
全カメラが接続された状態で最初に電源を投入したカメラを撮影モードの設定を行なうマスターと決定することを特徴とする撮像システム。
【請求項５】
複数台のカメラと、それらを接続する接続手段と、接続された複数台のカメラの制御を行なう制御手段からなる撮像システムにおいて、
全カメラが接続された状態でトリガキーを半押ししたカメラを撮影モードの設定を行なうマスターと決定し、トリガキーの半押しで随時マスターを更新することを特徴とする撮像システム。
【発明の詳細な説明】
【技術分野】
【０００１】
本発明は、複数台のカメラを連結して動作させる際の制御に関するものである。
【背景技術】
【０００２】
従来、複数台のデジタルカメラによるステレオ画像やパノラマ画像の撮影は、必要な台数のカメラを並べ、夫々のカメラをケーブルレリーズでシャッターを同期させる仕組みとなっていた（例えば、特許文献１）。
【０００３】
例えば、第７図のように、２台のデジタルカメラを並べ、ケーブルレリーズでシャッタートリガーを同時に操作することで、ステレオやパノラマの画像を得るものである。
【０００４】
このときにシャッタートリガーの操作は機械式のケーブルレリーズだけでなく。カメラのシャッタートリガースイッチを並列に外部に引き出した電気式の物や、あるいはコントロール信号をカメラ本体の制御機構に伝送することでシャッター動作をする方式もある。
【特許文献１】特開平０９−０４６７３０号公報
【発明の開示】
【発明が解決しようとする課題】
【０００５】
しかしながら、従来方式のほうに同期させて処理させる際に、マスターとなるカメラが明確にならないために、メモリ、信号処理部等、各カメラのリソースをシェアリングしてパフォーマンスを向上させようとする際に、制御の基点を確定できない。
【課題を解決するための手段】
【０００６】
本発明の撮像システムは、複数台のカメラを連結動作させる際のマスター機を確定する手段を有するものである。
１）トリガー半押し状態で最初に電源を投入したものをマスターとする。
２）トリガー半押し状態で最初にケーブルを接続したものをマスターとする。
３）電源投入状態で最初にケーブルを接続したものをマスターとする。
４）全カメラ接続された状態で最初に電源を投入したものをマスターとする。
【０００７】
上記により複数連結撮影時のマスター機を自動的に決定することができ、メモリ、信号処理等を各カメラでシェアリングし撮影から保存までのプロセスを効率よく実行できる。
【発明の効果】
【０００８】
カメラ連結撮影時にマスターのマシンを決定することにより、撮影の同期化、及び信号処理、メモリへの保存のシェアリングをおこなうことが可能になり、効率のよい撮影が実現できる。
【発明を実施するための最良の形態】
【０００９】
（実施例１）
図１に発明の概要を示す。
【００１０】
図１において、１０１〜１０ｎの複数台のカメラをケーブル１１０で接続し、ｎ台の中でマスター機を決定し、そのマスター機の設定条件のもと、マスター機のシャッタートリガーに同期して撮影が行なわれる。
【００１１】
図２は実施例１におけるマスター機決定の過程を示す。
【００１２】
２０１〜２０ｎよりなる複数台のカメラの中でユーザはマスター機を選択する。そしてそのカメラのトリガーを半押しした状態で電源を投入する。次にマスター機をケーブル接続した後、順次その他のカメラを接続する。スレーブ機はマスターからの制御のもと、電源が投入され、以降設定条件もマスターからの制御で自動更新される。
【００１３】
図６は全体のフローを示す。
【００１４】
まずユーザは上記手順でマスターを決定する。（６０１）
設定条件はマスターで更新し（６０２）、更新のたびにスレーブ側は自動更新される。（６０３）。設定終了後にマスターのシャッタートリガーを押し下げることにより撮影を行なう。（６０４）撮影後は、画像データの信号処理（６０５）、データの保存（６０６）が行なわれるが、マスターの制御のもと各カメラのリソースがシェアリングされ効率向上が実現される。
【００１５】
（実施例２）
図１に発明の概要を示す。
【００１６】
図１において、１０１〜１０ｎの複数台のカメラをケーブル１１０で接続し、ｎ台の中でマスター機を決定し、そのマスター機の設定条件のもと、マスター機のシャッタートリガーに同期して撮影が行なわれる。
【００１７】
図３は実施例２におけるマスター機決定の過程を示す。
３０１〜３０ｎよりなる複数台のカメラの中でユーザはマスター機を選択する。そしてそのカメラのトリガーを半押しした状態でケーブル接続する。順次その他のカメラを接続する。マスター機の電源が投入されると、スレーブもそれに同期して電源投入される。以降、設定条件もマスターからの制御で自動更新される。
【００１８】
図６は全体のフローを示す。
【００１９】
まずユーザは上記手順でマスターを決定する。（６０１）
設定条件はマスターで更新し（６０２）、更新のたびにスレーブ側は自動更新される。（６０３）。設定終了後にマスターのシャッタートリガーを押し下げることにより撮影を行なう。（６０４）撮影後は、画像データの信号処理（６０５）、データの保存（６０６）が行なわれるが、マスターの制御のもと各カメラのリソースがシェアリングされ効率向上が実現される。
【００２０】
（実施例３）
図１に発明の概要を示す。
【００２１】
図１において、１０１〜１０ｎの複数台のカメラをケーブル１１０で接続し、ｎ台の中でマスター機を決定し、そのマスター機の設定条件のもと、マスター機のシャッタートリガーに同期して撮影が行なわれる。
【００２２】
図４は実施例３におけるマスター機決定の過程を示す。
【００２３】
４０１〜４０ｎよりなる複数台のカメラの中でユーザはマスター機を選択する。そしてそのカメラの電源を投入後にケーブルをせつぞくする。順次その他のカメラを接続するとマスター機からの制御のもとそれぞれ電源投入される。以降、設定条件もマスターからの制御で自動更新される。
【００２４】
図６は全体のフローを示す。
【００２５】
まずユーザは上記手順でマスターを決定する。（６０１）
設定条件はマスタで更新し（６０２）、更新のたびにスレーブ側は自動更新される。（６０３）。設定終了後にマスターのシャッタートリガーを押し下げることにより撮影を行なう。（６０４）撮影後は、画像データの信号処理（６０５）、データの保存（６０６）が行なわれるが、マスターの制御のもと各カメラのリソースがシェアリングされ効率向上が実現される。
【００２６】
（実施例４）
図１に発明の概要を示す。
【００２７】
図１において、１０１〜１０ｎの複数台のカメラをケーブル１１０で接続し、ｎ台の中でマスター機を決定し、そのマスター機の設定条件のもと、マスター機のシャッタートリガーに同期して撮影が行なわれる。
【００２８】
図５は実施例４におけるマスター機決定の過程を示す。
【００２９】
５０１〜５０ｎよりなる複数台のカメラ全部をケーブルで接続する。その後、マスターに決定したカメラの電源を最初に投入する。その他のカメラはマスターからの制御のもとそれぞれ電源が投入される。以降、設定条件もマスターからの制御で自動更新される。
【００３０】
図６は全体のフローを示す。
【００３１】
まずユーザは上記手順でマスターを決定する。（６０１）
設定条件はマスターで更新し（６０２）、更新のたびにスレーブ側は自動更新される。（６０３）。設定終了後にマスターのシャッタートリガーを押し下げることにより撮影を行なう。（６０４）撮影後は、画像データの信号処理（６０５）、データの保存（６０６）が行なわれるが、マスターの制御のもと各カメラのリソースがシェアリングされ効率向上が実現される。
【００３２】
（実施例５）
図１に発明の概要を示す。
【００３３】
図１において、１０１〜１０ｎの複数台のカメラをケーブル１１０で接続し、ｎ台の中でマスター機を決定し、そのマスター機の設定条件のもと、マスター機のシャッタートリガーに同期して撮影が行なわれる。
【００３４】
図８は実施例４におけるマスター機決定の過程を示す。
【００３５】
８０１〜８０ｎよりなる複数台のカメラ全部をケーブルで接続する。その後、マスターに決定したカメラのシャッタートリガーを半押しする。マスターからの制御で設定内容が自動更新される。また、どのフェーズにおいても、シャッタートリガーを半押ししたカメラをマスターに更新することが可能である。
【００３６】
図６は全体のフローを示す。
【００３７】
まずユーザは上記手順でマスターを決定する。（６０１）
設定条件はマスターで更新し（６０２）、更新のたびにスレーブ側は自動更新される。（６０３）。設定終了後にマスターのシャッタートリガーを押し下げることにより撮影を行なう。（６０４）撮影後は、画像データの信号処理（６０５）、データの保存（６０６）が行なわれるが、マスターの制御のもと各カメラのリソースがシェアリングされ効率向上が実現される。
【図面の簡単な説明】
【００３８】
【図１】実施概要図
【図２】実施例１におけるマスター機決定の過程
【図３】実施例２におけるマスター機決定の過程
【図４】実施例３におけるマスター機決定の過程
【図５】実施例４におけるマスター機決定の過程
【図６】処理フロー
【図７】従来例
【図８】実施例５におけるマスター機決定の過程
【符号の説明】
【００３９】
１０１，１０２，１０ｎ  カメラ
１１０  ケーブル
【図１】
2005159953.tif 000003
【図２】
2005159953.tif 000004
【図３】
2005159953.tif 000005
【図４】
2005159953.tif 000006
【図５】
2005159953.tif 000007
【図６】
2005159953.tif 000008
【図７】
2005159953.tif 000009
【図８】
2005159953.tif 000010